(57)【要約】  本発明の医療用コネクタは、オスコネクタ部と係合部とを備える医療用コネクタにおいて、前記オスコネクタ部を他の医療用コネクタのメスコネクタ部に挿入すると、前記係合部に対してスライドすることで、前記係合部を前記他の医療用コネクタから引き抜け不能なロック状態にするロック部を備えることを特徴とするものである。
2016152169.tif 000002
【特許請求の範囲】
【請求項１】
オスコネクタ部と係合部とを備える医療用コネクタにおいて、
前記オスコネクタ部を他の医療用コネクタのメスコネクタ部に挿入すると、前記係合部に対してスライドすることで、前記係合部を前記他の医療用コネクタから引き抜け不能なロック状態にするロック部を備えることを特徴とする医療用コネクタ。
【請求項２】
前記係合部は複数の爪を備え、
前記ロック部は、前記複数の爪を包囲する筒壁と、該筒壁の内周面に形成されたロック用突起とを備える、請求項１に記載の医療用コネクタ。
【請求項３】
前記ロック部は、前記オスコネクタ部を他の医療用コネクタのメスコネクタ部に挿入すると、前記筒壁が前記他の医療用コネクタに押されてスライドし、前記ロック用突起が前記複数の爪を押圧して弾性変形させることで、前記複数の爪を前記他の医療用コネクタから引き抜け不能なロック状態にする、請求項２に記載の医療用コネクタ。
【請求項４】
前記係合部は、複数の爪と、該複数の爪の外周面に形成された外周側突起とを備え、
前記ロック部は、前記複数の爪を包囲する筒壁を備える、請求項１に記載の医療用コネクタ。
【請求項５】
前記ロック部は、前記オスコネクタ部を他の医療用コネクタのメスコネクタ部に挿入すると、前記オスコネクタ部が前記メスコネクタ部に当接することでスライドし、前記筒壁が前記外周側突起を押圧して前記複数の爪を弾性変形させることで、前記複数の爪を前記他の医療用コネクタから引き抜け不能なロック状態にする、請求項４に記載の医療用コネクタ。
【請求項６】
前記複数の爪の基端部に連なる嵌合壁を備え、
前記嵌合壁と前記筒壁との間には、前記筒壁が前記複数の爪を前記ロック状態にしたときに互いに嵌合して、前記筒壁が前記他の医療用コネクタ側にスライドすることを防止する、嵌合壁側嵌合部及び筒壁側嵌合部が設けられている、請求項２又は３に記載の医療用コネクタ。
【請求項７】
前記筒壁は該筒壁の外周面に操作部を備え、
前記操作部の押圧にて、前記嵌合壁側嵌合部と前記筒壁側嵌合部との嵌合が解除される、請求項６に記載の医療用コネクタ。
【請求項８】
前記ロック部がスライドして前記複数の爪を前記ロック状態にしたときに、前記筒壁の基端側端面から基端側へ突出して前記筒壁の径方向外側から視認可能となるロック完了視認部を備える、請求項４又は５に記載の医療用コネクタ。
【請求項９】
前記ロック部の前記筒壁は、該筒壁に対する前記他の医療用コネクタの前記メスコネクタ部の回転を阻止する回転阻止部を備える、請求項２〜８のいずれか一項に記載の医療用コネクタ。
【請求項１０】
前記オスコネクタ部は、前記メスコネクタ部の天面を封止する封止部を備える、請求項１〜９のいずれか一項に記載の医療用コネクタ。
【発明の詳細な説明】
【技術分野】
【０００１】
本発明は、オスコネクタ部と係合部とを備える医療用コネクタに関し、特に、他の医療用コネクタに対する接続操作の容易性を確保しつつ、他の医療用コネクタの意図しない変位を抑制しようとするものである。
【背景技術】
【０００２】
従来、患者等の生体に薬液等の液体を注入するための輸液セットや、その他の医療用器具などにおいて、流路を接続するために医療用コネクタが用いられている。このような医療用コネクタの接続は、通常、一方のコネクタに設けられたオスコネクタ部を、他方のコネクタに設けられたメスコネクタ部に挿入することでなされる。また、コネクタの意図しない離脱の発生を防止するために、コネクタ間に係合部を設けることも一般的である。例えば、ルアーロック方式のコネクタでは、係合部としてねじを用いているが、その接続に際しては、オスコネクタ部をメスコネクタ部に挿入し、ねじ止めするという２段階の接続操作が必要となり、接続操作が煩雑であった。【０００３】
このような問題を解決するものとして、例えば、特許文献１〜２に記載されるように、係合部として複数の爪を用いるものが知られている。特許文献１〜２に記載の医療用コネクタは、オスコネクタ部と複数の爪とを備えており、オスコネクタ部を他の医療用コネクタのメスコネクタ部に挿入すると、複数の爪が、他の医療用コネクタに形成された段部を弾性変形しつつ乗り越え、復元することで、該段部からの引き抜けを防止するようになっている。このような構成によれば、オスコネクタ部をメスコネクタ部に挿入するだけでコネクタ同士を接続できるため、接続操作を容易化することができる。
【先行技術文献】
【特許文献】
【０００４】
【特許文献１】特開２００４−４８３号公報
【特許文献２】国際公開第２０１２／１２８３２１（Ａ１）号パンフレット
【発明の概要】
【発明が解決しようとする課題】
【０００５】
しかしながら、特許文献１〜２に記載されるような構成の医療用コネクタでは、他の医療用コネクタとの接続時に爪が弾性変形しつつ段部を乗り越える際に、他の医療用コネクタの意図しない変位を生じてしまう余地があった。【０００６】
すなわち、例えば、特許文献１〜２に記載されるような構成の医療用コネクタ（以下、第１コネクタともいう）を右手で持ち、他の医療用コネクタ（以下、第２コネクタともいう）を左手で持って、第２コネクタに第１コネクタを接続する場合に、第２コネクタを動かさないように接続するためには、第２コネクタを第１コネクタから押される力と同じ力で押し返さなければならない。【０００７】
ところが、爪が第２コネクタの段部を乗り越える時に、第２コネクタが受けていた第１コネクタから押される力が急激に小さくなる。この時に、左手で第２コネクタを第１コネクタ側に押している力によって第２コネクタが第１コネクタ側にずれる（すなわち、意図しない変位を生じる）可能性がある。第２コネクタがずれると、例えば、第２コネクタとしての留置針のカテーテルハブのメスコネクタ部に、輸液セットの先端に配置された第１コネクタのオスコネクタ部を接続する際に、カテーテルの先端位置がずれて、血管から抜けるおそれがあるなどの不都合が生じる。【０００８】
本発明は、前記の現状に鑑み開発されたもので、他の医療用コネクタに対する接続操作の容易性を確保しつつ、他の医療用コネクタの意図しない変位を抑制できる医療用コネクタを提供することを目的とする。
【課題を解決するための手段】
【０００９】
本発明の医療用コネクタは、オスコネクタ部と係合部とを備える医療用コネクタにおいて、前記オスコネクタ部を他の医療用コネクタのメスコネクタ部に挿入すると、前記係合部に対してスライドすることで、前記係合部を前記他の医療用コネクタから引き抜け不能なロック状態にするロック部を備えることを特徴とする。【００１０】
ここで、本発明の医療用コネクタは、前記係合部が複数の爪を備え、前記ロック部は、前記複数の爪を包囲する筒壁と、該筒壁の内周面に形成されたロック用突起とを備えることが好ましい。【００１１】
また、本発明の医療用コネクタにおいては、前記ロック部は、前記オスコネクタ部を他の医療用コネクタのメスコネクタ部に挿入すると、前記筒壁が前記他の医療用コネクタに押されてスライドし、前記ロック用突起が前記複数の爪を押圧して弾性変形させることで、前記複数の爪を前記他の医療用コネクタから引き抜け不能なロック状態にすることが好ましい。【００１２】
また、本発明の医療用コネクタにおいては、前記係合部は、複数の爪と、該複数の爪の外周面に形成された外周側突起とを備え、前記ロック部は、前記複数の爪を包囲する筒壁を備えることが好ましい。【００１３】
また、本発明の医療用コネクタにおいては、前記ロック部は、前記オスコネクタ部を他の医療用コネクタのメスコネクタ部に挿入すると、前記オスコネクタ部が前記メスコネクタ部に当接することでスライドし、前記筒壁が前記外周側突起を押圧して前記複数の爪を弾性変形させることで、前記複数の爪を前記他の医療用コネクタから引き抜け不能なロック状態にすることが好ましい。【００１４】
また、本発明の医療用コネクタは、前記複数の爪の基端部に連なる嵌合壁を備え、前記嵌合壁と前記筒壁との間には、前記筒壁が前記複数の爪を前記ロック状態にしたときに互いに嵌合して、前記筒壁が前記他の医療用コネクタ側にスライドすることを防止する、嵌合壁側嵌合部及び筒壁側嵌合部が設けられていることが好ましい。【００１５】
また、本発明の医療用コネクタにおいては、前記筒壁は該筒壁の外周面に操作部を備え、前記操作部の押圧にて、前記嵌合壁側嵌合部と前記筒壁側嵌合部との嵌合が解除されることが好ましい。【００１６】
さらに、本発明の医療用コネクタにおいては、前記ロック部がスライドして前記複数の爪を前記ロック状態にしたときに、前記筒壁の基端側端面から基端側へ突出して前記筒壁の径方向外側から視認可能となるロック完了視認部を備えることが好ましい。【００１７】
さらに、本発明の医療用コネクタにおいては、前記ロック部の前記筒壁は、該筒壁に対する前記他の医療用コネクタの前記メスコネクタ部の回転を阻止する回転阻止部を備えることが好ましい。【００１８】
さらに、本発明の医療用コネクタにおいては、前記オスコネクタ部は、前記メスコネクタ部の天面を封止する封止部を備えることが好ましい。
【発明の効果】
【００１９】
本発明によれば、オスコネクタ部を他の医療用コネクタのメスコネクタ部に挿入すると、ロック部が係合部に対してスライドし、このようにスライドしたロック部により、係合部を他の医療用コネクタから引き抜け不能なロック状態にすることができる。したがって、本発明によれば、オスコネクタ部を他の医療用コネクタのメスコネクタ部に挿入するだけで、コネクタ同士を接続することができる。また、本発明によれば、ロック部のスライドによって係合部を他の医療用コネクタから引き抜け不能な状態にすることができるため、係合部をこのような引き抜け不能な状態にするために係合部が他の医療用コネクタの段部を乗り越える必要性をなくし、又は低減することができる。【００２０】
したがって、本発明によれば、他の医療用コネクタに対する接続操作の容易性を確保しつつ、他の医療用コネクタの意図しない変位を抑制できる医療用コネクタを提供することができる。
【図面の簡単な説明】
【００２１】
【図１】本発明の一実施形態に係る医療用コネクタについて、他の医療用コネクタとの離脱状態を示す図であり、（ａ）は縦断面図、（ｂ）は横断面図、（ｃ）は斜視図である。
【図２】図１に示す医療用コネクタの分解斜視図である。
【図３】図１に示す医療用コネクタの他の角度から見た分解斜視図である。
【図４】図１に示す医療用コネクタ及び他の医療用コネクタについて、ロック開始時の状態を示す図であり、（ａ）は縦断面図、（ｂ）は横断面図である。
【図５】図１に示す医療用コネクタ及び他の医療用コネクタについて、ロック完了時の状態を示す図であり、（ａ）は縦断面図、（ｂ）は横断面図である。
【図６】図１に示す医療用コネクタ及び他の医療用コネクタについて、接続完了時の状態を示す図であり、（ａ）は縦断面図、（ｂ）は横断面図、（ｃ）は斜視図である。
【図７】図１に示す医療用コネクタ及び他の医療用コネクタについて、ロック解除開始時の状態を示す図であり、（ａ）は縦断面図、（ｂ）は横断面図である。
【図８】図１に示す医療用コネクタ及び他の医療用コネクタについて、ロック解除完了時の状態を示す図であり、（ａ）は縦断面図、（ｂ）は横断面図である。
【図９】図１に示す医療用コネクタ及び他の医療用コネクタについて、離脱完了時の状態を示す図であり、（ａ）は縦断面図、（ｂ）は横断面図である。
【図１０】本発明の他の実施形態に係る医療用コネクタについて、他の医療用コネクタとの離脱状態を示す図であり、（ａ）は縦断面図、（ｂ）は（ａ）のＡ−Ａ断面図、（ｃ）は斜視図である。
【図１１】図１０に示す医療用コネクタの分解斜視図である。
【図１２】図１０に示す医療用コネクタの他の角度から見た分解斜視図である。
【図１３】図１０に示す医療用コネクタ及び他の医療用コネクタについて、ロック開始時の状態を示す図であり、（ａ）は縦断面図、（ｂ）は（ａ）のＡ−Ａ断面図である。
【図１４】図１０に示す医療用コネクタ及び他の医療用コネクタについて、ロック完了時の状態を示す図であり、（ａ）は縦断面図、（ｂ）は（ａ）のＡ−Ａ断面図である。
【図１５】図１０に示す医療用コネクタの変形例について、他の医療用コネクタとの離脱状態を示す図であり、（ａ）は縦断面図、（ｂ）は横断面図、（ｃ）は斜視図である。
【図１６】図１５に示す医療用コネクタの分解斜視図である。
【図１７】図１５に示す医療用コネクタの他の角度から見た分解斜視図である。
【図１８】図１５に示す医療用コネクタ及び他の医療用コネクタについて、ロック開始時の状態を示す図であり、（ａ）は縦断面図、（ｂ）は横断面図である。
【図１９】図１５に示す医療用コネクタ及び他の医療用コネクタについて、ロック完了時の状態を示す図であり、（ａ）は縦断面図、（ｂ）は横断面図である。
【図２０】図１０に示す医療用コネクタの他の変形例について、他の医療用コネクタとの離脱状態を示す図であり、（ａ）は縦断面図、（ｂ）は横断面図、（ｃ）は斜視図である。
【図２１】図２０に示す医療用コネクタの分解斜視図である。
【図２２】図２０に示す医療用コネクタの他の角度から見た分解斜視図である。
【図２３】図２０に示す医療用コネクタ及び他の医療用コネクタについて、ロック開始時の状態を示す図であり、（ａ）は縦断面図、（ｂ）は横断面図である。
【図２４】図２０に示す医療用コネクタ及び他の医療用コネクタについて、ロック完了時の状態を示す図であり、（ａ）は縦断面図、（ｂ）は横断面図である。
【図２５】図１０に示す医療用コネクタの更なる他の変形例を示す分解斜視図である。
【図２６】図２５に示す医療用コネクタを他の医療用コネクタと共に示す側面図であり、（ａ）はコネクタ離脱時の状態を、（ｂ）はロック完了時の状態を示す。
【発明を実施するための形態】
【００２２】
以下、図１〜図９を参照して、本発明の一実施形態に係る医療用コネクタ１について詳細に例示説明する。
なお、本明細書において、先端側とは、医療用コネクタ１のオスコネクタ部２の中心軸線Ｏ１に沿う方向におけるオスコネクタ部２の先端側（例えば、図１（ａ）における左側）を意味し、基端側とはその反対側を意味するものとする。
【００２３】
図１〜図３に示すように、本実施形態に係る医療用コネクタ１は、オスコネクタ部２と係合部３とロック部４とを備え、他の医療用コネクタ１００と接続可能に設けられている。オスコネクタ部２は、本例ではハウジングＨ１に一体に形成されている。また、係合部３は、本例では、ハウジングＨ１に固定された係合部材Ｅ１に形成されており、複数（本例では２つ）の爪３ａとして構成されている。さらに、ロック部４は、本例では、ハウジングＨ１にスライド可能に取り付けられたロック部材Ｌ１として構成されている。本実施形態に係る医療用コネクタ１は、ハウジングＨ１及び係合部材Ｅ１で構成されるコネクタ本体Ｂ１と、オスコネクタ部２の軸線Ｏ１に沿う方向にスライド可能にコネクタ本体Ｂ１に取り付けられたロック部材Ｌ１とによって構成されている。ハウジングＨ１、係合部材Ｅ１及びロック部材Ｌ１は、例えば合成樹脂製とすることができる。
【００２４】
ハウジングＨ１には、メスコネクタ部５と混注ポート部６とが形成されている。混注ポート部６の開口部には、種々の医療用コネクタのオスコネクタ部の挿入時に該開口部を開放して流路を形成する一方で、そのようなオスコネクタ部の非挿入時には該開口部を閉鎖する弁体６ａが設けられている。
【００２５】
なお、医療用コネクタ１は、本例ではオスコネクタ部２に加えてメスコネクタ部５及び混注ポート部６も備えるＴポートコネクタとして構成されているが、このような構成に限られるものではない。すなわち、医療用コネクタ１は、例えば、流路切替え構造をさらに加えた三方活栓として構成したり、輸液容器に繋がるチューブの端部に直接取付けられたオスコネクタとして構成したりすることができる。
【００２６】
係合部材Ｅ１は、複数の爪３ａの基端部に連なる筒状の嵌合壁７を備えている。嵌合壁７の基端側端部には、内周側に向けて一対の突片８が突設されている。一対の突片８は、ハウジングＨ１のオスコネクタ部２の基端部２ａに嵌合しており、その結果、係合部材Ｅ１がハウジングＨ１に固定されている。
【００２７】
具体的には、一対の突片８は、それぞれ、２つの突起８ａを備えており、これらの計４つの突起８ａが、オスコネクタ部２の基端部２ａに形成された計４つの凹部９に嵌合している。オスコネクタ部２の基端部２ａ近傍には、４つの凹部９の一部を区画する基端側フランジ１０が形成されており、該基端側フランジ１０の先端側端面は、基端側に向かって拡径するテーパ面１０ａになっている。したがって、係合部材Ｅ１をハウジングＨ１に固定する際には、一対の突片８を基端側フランジ１０のテーパ面１０ａに押し当て、一対の突片８を弾性変形させつつ基端側フランジ１０を乗り越えさせて、オスコネクタ部２の基端部２ａに嵌合させることができる。
【００２８】
また、嵌合壁７には、ロック部材Ｌ１に形成された後述する複数（本例では２つ）の筒壁側嵌合部１７と嵌合可能な複数（本例では２つ）の嵌合壁側嵌合部７ａが形成されている。嵌合壁側嵌合部７ａは、本例では開口部として形成されている。
【００２９】
複数の爪３ａは、それぞれ、軸線Ｏ１に沿って延びる断面円弧状の板片１１と、該板片１１の先端側端部に内周側に向けて突設された係合突起１２とを備えている。複数の爪３ａの係合突起１２の先端側端面は、先端側に向けて係合突起１２の突出幅を小さくするテーパ面１２ａになっている。
【００３０】
ロック部材Ｌ１は、筒壁１３を備えている。筒壁１３の基端側端部には、内周側に向けて一対の突片１４が突設されている。一対の突片１４には、複数の爪３ａが挿入される挿入孔１４ａが形成されている。また、一対の突片１４は、ハウジングＨ１のオスコネクタ部２の軸線Ｏ１方向中間部にスライド可能に取り付けられている。
【００３１】
具体的には、一対の突片１４は、それぞれ、２つの突起１４ｂを備えており、これらの計４つの突起１４ｂが、オスコネクタ部２の軸線Ｏ１方向中間部に形成された計４つの溝部１５内に配置されており、その結果、ロック部材Ｌ１がハウジングＨ１のオスコネクタ部２にスライド可能に取り付けられている。
【００３２】
オスコネクタ部２の４つの溝部１５の先端側には、これら溝部１５の一部を区画する先端側フランジ１６が形成されており、該先端側フランジ１６の先端側端面は、基端側に向かって拡径するテーパ面１６ａになっている。したがって、ロック部材Ｌ１をハウジングＨ１に取り付ける際には、一対の突片１４を先端側フランジ１６のテーパ面１６ａに押し当て、一対の突片１４を弾性変形させつつ先端側フランジ１６を乗り越えさせて、オスコネクタ部２の軸線Ｏ１方向中間部にスライド可能に取り付けることができる。なお、このようにロック部材Ｌ１をハウジングＨ１に取り付けた後は、一対の突片１４が先端側フランジ１６に抜け止め保持されるため、ロック部材Ｌ１がハウジングＨ１から脱落することは防止される。
【００３３】
また、筒壁１３の基端側には、係合部材Ｅ１の複数（本例では２つ）の嵌合壁側嵌合部７ａと嵌合可能な複数（本例では２つ）の筒壁側嵌合部１７が形成されている。筒壁側嵌合部１７は、本例では、開口部として形成された嵌合壁側嵌合部７ａと嵌合可能な嵌合突起１７ａを備えている。
【００３４】
筒壁１３の外周面には、操作部１８が設けられており、操作部１８の押圧にて、嵌合壁側嵌合部７ａと筒壁側嵌合部１７との嵌合が解除されるようになっている。本例では、筒壁側嵌合部１７は嵌合壁側嵌合部７ａに対して内周側から嵌合するようになっており、操作部１８の押圧にて筒壁側嵌合部１７を内周側へ弾性変形させられるようになっている。操作部１８、嵌合壁側嵌合部７ａ及び筒壁側嵌合部１７は、本例では軸線Ｏ１を挟んで対向する位置に２組設けられている。
【００３５】
筒壁１３の内周面には、筒壁１３を複数の爪３ａに対して基端側にスライドさせたときに複数の爪３ａを押圧して内周側に弾性変形させるロック用突起１９が形成されている。ロック用突起１９は、本例では、複数の爪３ａに対応する複数（本例では２つ）の突起として形成されている。ロック用突起１９の基端側端面は、先端側に向けてロック用突起１９の突出幅を大きくするテーパ面１９ａになっている。
【００３６】
図１に示したように、他の医療用コネクタ１００はメスコネクタ部１０１を備えている。また、本例では、他の医療用コネクタ１００はオスコネクタ部１０２も備えている。オスコネクタ部１０２は、例えば患者等の生体に留置された留置針に接続することができる。メスコネクタ部１０１はメスコネクタ側ハウジング１０３に形成されており、オスコネクタ部１０２はオスコネクタ側ハウジング１０４に形成されており、メスコネクタ側ハウジング１０３とオスコネクタ側ハウジング１０４とは互いに接合されている。
【００３７】
メスコネクタ部１０１の開口部には、医療用コネクタ１のオスコネクタ部２の挿入時に該開口部を開放して流路を形成する一方で、オスコネクタ部２の非挿入時には該開口部を閉鎖する弁体１０５が設けられている。本例では、弁体１０５の天面部１０５ａには、メスコネクタ部１０１の天面部１０１ａ側に向けて付勢力が付与されている。このような付勢力を生じさせるための具体的な構造は図示を省略しているが、そのような構造としては、例えば、弁体１０５と別体の弦巻ばねを流路内に配置してもよいし、弁体１０５の天面部１０５ａと一体に蛇腹状の弾性部を設けてもよい。
【００３８】
なお、医療用コネクタ１のオスコネクタ部２の挿入時に弁体１０５がメスコネクタ部１０１の開口部を開放して流路を形成するための具体的な構造についても図示を省略しているが、そのような構造としては、例えば、弁体１０５やメスコネクタ側ハウジング１０３に、メスコネクタ部１０１の開口部の開放時に形成される流路の一部を区画する溝を適宜設けることができる。
【００３９】
メスコネクタ部１０１の円筒状の周壁部１０１ｂにおける外周面には、係合部材Ｅ１の複数（本例では２つ）の爪３ａに対応する複数（本例では２つ）の係合凹部１０６が形成されている。
【００４０】
以上のように構成された医療用コネクタ１と他の医療用コネクタ１００とを互いに接続させる要領は以下のとおりである。まず、図１に示したような、医療用コネクタ１と他の医療用コネクタ１００とが離脱した状態から、例えば左手で他の医療用コネクタ１００を持つと共に右手で医療用コネクタ１のコネクタ本体Ｂ１を持ち、医療用コネクタ１のオスコネクタ部２を他の医療用コネクタ１００のメスコネクタ部１０１に挿入すると、図４に示すように、ロック部材Ｌ１の筒壁１３が他の医療用コネクタ１００に当接する。
【００４１】
このとき、複数の爪３ａの係合突起１２の間隔（軸線Ｏ１を挟んで対向する部分間の距離）がメスコネクタ部１０１の天面部１０１ａの外径よりも大きいことから、複数の爪３ａによるメスコネクタ部１０１の天面部１０１ａの乗り越えを伴うことなく、係合部材Ｅ１の複数の爪３ａの係合突起１２に、メスコネクタ部１０１の天面部１０１ａを越えさせ、係合凹部１０６と対向させることができる。また、その際、複数の爪３ａの係合突起１２が備えるテーパ面１２ａによって、メスコネクタ部１０１の天面部１０１ａを複数の爪３ａの間へとスムーズに案内することができる。
【００４２】
そして、オスコネクタ部２をより深く挿入すると、ロック部材Ｌ１の筒壁１３が他の医療用コネクタ１００に押されて係合部材Ｅ１に対してスライドし、筒壁１３に形成されたロック用突起１９が係合部材Ｅ１の複数の爪３ａを押圧して弾性変形させることで、図５に示すように、複数の爪３ａが他の医療用コネクタ１００から引き抜け不能なロック状態となる。ここに、ロック状態とは、本例では、複数の爪３ａの係合突起１２が、ロック部４（ロック部材Ｌ１）のロック用突起１９に押されてメスコネクタ部１０１の係合凹部１０６内に位置する状態を意味する。
【００４３】
また、ロック用突起１９で係合部材Ｅ１の複数の爪３ａを押圧する際には、ロック用突起１９が備えるテーパ面１９ａを介して複数の爪３ａを押圧することができるため、複数の爪３ａを弾性変形させるための操作力を低減することができる。なお、このような操作力低減のためのテーパ面１９ａは、ロック用突起１９側に設ける代わりに、複数の爪３ａ側に設けてもよい。
【００４４】
さらに、筒壁１３が複数の爪３ａをロック状態にしたとき、嵌合壁側嵌合部７ａ及び筒壁側嵌合部１７が互いに嵌合して、筒壁１３が他の医療用コネクタ１側にスライドすることを防止するようになっている。
【００４５】
前述したロック状態で、医療用コネクタ１及び他の医療用コネクタ１００に対する操作を終了すると、メスコネクタ部１０１内に配置された弁体１０５に付与されている付勢力により、医療用コネクタ１と他の医療用コネクタ１００とが互いに離れる方向に動き、図６に示すように、複数の爪３ａの係合突起１２が係合凹部１０６の端部に係止された状態、すなわち、コネクタ同士の接続状態となる。
【００４６】
医療用コネクタ１は、以上のような要領で、他の医療用コネクタ１００に接続することができるが、その接続に際しては、複数の爪３ａによるメスコネクタ部１０１の天面部１０１ａの乗り越えを必要としない。したがって、医療用コネクタ１によれば、他の医療用コネクタ１００に接続するに際し、他の医療用コネクタ１００の意図しない変位を抑制することができる。なお、本実施形態では、複数の爪３ａがロック状態となるときに、筒壁側嵌合部１７としての嵌合突起１７ａが嵌合壁側嵌合部７ａとしての開口部に嵌合するが、嵌合突起１７ａの大きさ及び形状は、嵌合に際しての嵌合突起１７ａの乗り越えに要する力が、他の医療用コネクタ１００の意図しない変位を生じない程度に十分に小さいものとなるように設定されていることは言うまでもない。
【００４７】
次に、医療用コネクタ１と他の医療用コネクタ１００とを互いに離脱させる要領について以下に説明する。まず、図７に示すように、筒壁１３に設けられた操作部１８を押圧することで、嵌合壁側嵌合部７ａと筒壁側嵌合部１７との嵌合が解除される。
【００４８】
この状態で、図８に示すように、筒壁１３を他の医療用コネクタ１００側にスライドさせると、複数の爪３ａが弾性変形した状態から復元し、ロックが解除される。そして、図９に示すように、オスコネクタ部２をメスコネクタ部１０１から抜去することで、コネクタ同士の接続を解除することができる。
【００４９】
以上説明したように、本実施形態に係る医療用コネクタ１によれば、医療用コネクタ１のオスコネクタ部２を他の医療用コネクタ１００のメスコネクタ部１０１に挿入すると、ロック部４（ロック部材Ｌ１）が係合部３（複数の爪３ａ）に対してスライドし、このようにスライドしたロック部４により、係合部３を他の医療用コネクタ１００から引き抜け不能なロック状態にすることができる。
【００５０】
したがって、本実施形態によれば、オスコネクタ部２を他の医療用コネクタ１００のメスコネクタ部１０１に挿入するだけで、コネクタ同士を接続することができる。また、本実施形態によれば、ロック部４のスライドによって係合部３をロック状態にすることができるため、係合部３による他の医療用コネクタ１００の段部の乗り越えを伴うことなくコネクタ同士を接続することができる。したがって、本実施形態によれば、他の医療用コネクタ１００に対する接続操作の容易性を確保しつつ、他の医療用コネクタ１００の意図しない変位を抑制することができる。
【００５１】
また、本実施形態に係る医療用コネクタ１は、係合部３が複数の爪３ａを備え、ロック部４は、複数の爪３ａを包囲する筒壁１３と、該筒壁１３の内周面に形成されたロック用突起１９とを備えている。したがって、本実施形態によれば、簡単な構成によって、前述した効果、すなわち、他の医療用コネクタ１００に対する接続操作の容易性を確保しつつ、他の医療用コネクタ１００の意図しない変位を抑制できるという効果を得ることができる。
【００５２】
また、本実施形態では、ロック部４は、オスコネクタ部２を他の医療用コネクタ１００のメスコネクタ部１０１に挿入すると、筒壁１３が他の医療用コネクタ１００に押されてスライドし、ロック用突起１９が複数の爪３ａを押圧して弾性変形させることで、複数の爪３ａを他の医療用コネクタ１００から引き抜け不能なロック状態にするように構成されている。したがって、本実施形態によれば、他の医療用コネクタ１００と、医療用コネクタ１のロック部４以外の部分とを把持して、医療用コネクタ１のオスコネクタ部２を他の医療用コネクタ１００のメスコネクタ部１０１に挿入するだけで、コネクタ同士を接続することができ、良好な操作性を得ることができる。
【００５３】
さらに、本実施形態に係る医療用コネクタ１は、複数の爪３ａの基端部に連なる嵌合壁７を備え、嵌合壁７と筒壁１３との間には、筒壁１３が複数の爪３ａをロック状態にしたときに互いに嵌合して、筒壁１３が他の医療用コネクタ１００側にスライドすることを防止する、嵌合壁側嵌合部７ａ及び筒壁側嵌合部１７が設けられている。したがって、本実施形態によれば、簡単な構成によってロック状態を保持することができる。
【００５４】
また、本実施形態では、筒壁１３は該筒壁１３の外周面に操作部１８を備え、操作部１８の押圧にて、嵌合壁側嵌合部７ａと筒壁側嵌合部１７との嵌合が解除されるようになっている。したがって、本実施形態によれば、筒壁１３に設けられた操作部１８を押圧し、そのまま筒壁１３をスライドさせることでロックを解除できるため、操作性を良好なものとすることができる。
【００５５】
さらに、本実施形態では、ロックを解除するためには、操作部１８を押圧した上で、筒壁１３をスライドさせるという２段階の操作を必要とし、しかも、そのスライドに際しては、医療用コネクタ１の一部である筒壁１３を、離脱の対象である他の医療用コネクタ１００にあえて近づける方向にスライドさせる必要がある。したがって、本実施形態によれば、意図しないコネクタの離脱の発生を確実に防止することができる。
【００５６】
なお、本実施形態では、操作部１８、嵌合壁側嵌合部７ａ及び筒壁側嵌合部１７は、軸線Ｏ１を挟んで対向する位置に２組設けられているので、例えば親指と人差し指で２つの操作部１８を外周側から摘むだけで操作部１８の押圧操作ができるため、操作性をより一層、良好なものとすることができる。
【００５７】
次に、図１０〜図１４を参照して、本発明の他の実施形態に係る医療用コネクタ２１について詳細に例示説明する。
本実施形態に係る医療用コネクタ２１は、前述した実施形態の場合とは、特に、ロック部２４が係合部２３に対してスライドする方向が異なる点で、構成が異なっている。
【００５８】
図１０〜図１２に示すように、本実施形態に係る医療用コネクタ２１は、オスコネクタ部２２と係合部２３とロック部２４とを備え、他の医療用コネクタ２００と接続可能に設けられている。オスコネクタ部２２は、本例ではハウジングＨ２に一体に形成されている。また、係合部２３は、本例では、ハウジングＨ２に固定された係合部材Ｅ２に形成されており、複数（本例では２つ）の爪２３ａとして構成されている。さらに、ロック部２４は、本例では、ハウジングＨ２にスライド可能に取り付けられたロック部材Ｌ２として構成されている。本実施形態に係る医療用コネクタ２１は、ハウジングＨ２及び係合部材Ｅ２で構成されるコネクタ本体Ｂ２と、オスコネクタ部２２の軸線Ｏ２に沿う方向にスライド可能にコネクタ本体Ｂ２に取り付けられたロック部材Ｌ２とによって構成されている。ハウジングＨ２、係合部材Ｅ２及びロック部材Ｌ２は、例えば合成樹脂製とすることができる。
【００５９】
ハウジングＨ２には、オスコネクタ部２２の反対側に、例えば輸液容器に繋がるチューブの端部を接続可能な接続部２５が形成されている。なお、ハウジングＨ２は、このような構成に代えて、例えば、前述した実施形態の場合と同様に、Ｔポートコネクタや三方活栓として構成することも可能である。
【００６０】
係合部材Ｅ２は、複数の爪２３ａの基端部に連なる底壁４０を備えている。底壁４０は、ハウジングＨ２のオスコネクタ部２２を挿入可能な貫通孔４１（図１２参照）を備え、オスコネクタ部２２の軸線Ｏ２方向中間部に嵌合しており、その結果、係合部材Ｅ２がオスコネクタ部２２に抜け止め可能に保持されている。また、底壁４０には、複数の爪２３ａとは反対側に延びる４つの突起４２が形成されている。なお、底壁４０に設ける突起４２の個数は適宜増減が可能である。各突起４２の先端部には、ロック部材Ｌ２側に設けられた後述するロック部材側凸部４６を乗り越えさせることでクリック感を生じさせる係合部材側凸部４３が形成されている。さらに、底壁４０には、複数の爪２３ａと同一方向に延びる一対の案内片４４が設けられている。一対の案内片４４は、ロック部材Ｌ２の後述する筒壁３３のスライド移動を案内するようになっている。
【００６１】
ロック部材Ｌ２は、筒壁３３を備えている。筒壁３３の基端側端部には、内周側に向けて一対の突片３４が突設されている。一対の突片３４には、係合部材Ｅ２に設けられた４つの突起４２を挿入可能な４つの開口部４５が設けられている。なお、ロック部材Ｌ２に設ける開口部４５の個数は、係合部材Ｅ２に設ける突起４２の個数に合わせて適宜増減が可能である。各開口部４５には、係合部材側凸部４３が乗り越えることでクリック感を生じさせるロック部材側凸部４６が形成されている。
【００６２】
ロック部材Ｌ２の一対の突片３４は、ハウジングＨ２のオスコネクタ部２２の基端部に設けられたフランジ４７と、オスコネクタ部２２に抜け止め可能に保持された係合部材Ｅ２の底壁４０との間にスライド可能に配置されている。なお、オスコネクタ部２２のフランジ４７の先端側には、ロック部材Ｌ２の一対の突片３４が可動範囲の基端側端部まで（フランジ４７に当接するまで）移動したときに、一対の突片３４が乗り越えクリック感を生じさせる環状凸部４８が形成されている。また、環状凸部４８は、一対の突片３４が可動範囲の基端側端部から先端側へスライドするときにも、一対の突片３４を乗り越えさせてクリック感を生じさせるようになっている。
【００６３】
また、ロック部材Ｌ２の筒壁３３の内周側には、一対の凸部４９が形成されている。一対の凸部４９は、ロック部材Ｌ２のスライド移動時に係合部材Ｅ２の案内片４４に摺接することで、ロック部材Ｌ２と係合部材Ｅ２との間の摺動抵抗を抑制しつつロック部材Ｌ２が案内されるようにしている。なお、一対の凸部４９は、案内片４４に摺接しない構成としてもよい。また、一対の凸部４９を設けない構成としてもよい。
【００６４】
係合部材Ｅ２の複数の爪２３ａは、それぞれ、軸線Ｏ２に沿って延びる断面円弧状の板片３１と、該板片３１の先端側端部に内周側に向けて突設された係合突起３２と、板片３１の先端側端部に外周側に向けて突設された外周側突起５０とを備えている。なお、外周側突起５０は、軸線Ｏ２方向において基端側より突出していればよく、例えば、板片３１の外周面に軸線Ｏ２に沿って延びる溝を設け、この溝の先端側に突設された構成であってもよい。すなわち、外周側突起５０は、板片３１の外周面における周方向の高さが最も大きい必要はない。複数の爪２３ａの係合突起３２の先端側端面は、先端側に向けて係合突起３２の突出幅を小さくするテーパ面３２ａになっている。また、複数の爪２３ａの外周側突起５０の基端側端面は、先端側に向けて外周側突起５０の突出幅を大きくするテーパ面５０ａになっている。
【００６５】
また、ロック部材Ｌ２の筒壁３３の内周面における先端部近傍には、複数の爪２３ａの外周側突起５０に対応する複数（本例では２つ）の先端側に向けて拡径するテーパ面３９が設けられている。
【００６６】
図１０に示したように、他の医療用コネクタ２００はメスコネクタ部２０１を備えている。他の医療用コネクタ２００は、本例では、留置針（図示省略）に接続される留置針ハブとして構成されている。メスコネクタ部２０１の内周面は、先端側に向けて縮径するテーパ状に形成されており、その傾きは、オスコネクタ部２２のテーパ状の外周面と同一の角度となっている。
【００６７】
また、メスコネクタ部２０１の円筒状の周壁部２０１ｂの基端側端部には、外周側に向けて突出する複数（本例では２つ）の係合凸部２０７が形成されている。
【００６８】
以上のように構成された医療用コネクタ２１と他の医療用コネクタ２００とを互いに接続させる要領は以下のとおりである。まず、図１０に示したような、医療用コネクタ２１と他の医療用コネクタ２００とが離脱した状態から、例えば左手で他の医療用コネクタ２００を持つと共に右手で医療用コネクタ２１のロック部材Ｌ２を持ち、ロック部材Ｌ２を他の医療用コネクタ２００に近づける方向に移動させ、医療用コネクタ２１のオスコネクタ部２２を他の医療用コネクタ２００のメスコネクタ部２０１に挿入すると、図１３に示すように、オスコネクタ部２２の先端部外周面がメスコネクタ部２０１の基端部内周面に当接する。
【００６９】
このとき、複数の爪２３ａの係合突起３２の間隔（本例では、軸線Ｏ２を挟んで対向する部分間の距離）がメスコネクタ部２０１の係合凸部２０７を設けた部分の外径（本例では、２つの係合凸部２０７の外周側端部における、軸線Ｏ２を挟んで対向する部分間の距離）よりも大きいことから、複数の爪２３ａによるメスコネクタ部２０１の係合凸部２０７の乗り越えを伴うことなく、係合部材Ｅ２の複数の爪２３ａの係合突起３２に、メスコネクタ部２０１の係合凸部２０７を越えさせることができる。また、その際、複数の爪２３ａの係合突起３２が備えるテーパ面３２ａによって、メスコネクタ部２０１の係合凸部２０７を複数の爪２３ａの間へとスムーズに案内することができる。
【００７０】
そして、さらにロック部材Ｌ２を他の医療用コネクタ２００に近づける方向に移動させると、コネクタ本体Ｂ２（ハウジングＨ２及び係合部材Ｅ２）はこれ以上移動できないため、ロック部材Ｌ２が係合部材Ｅ２に対してスライドする。このため、筒壁３３が係合部材Ｅ２の複数の爪２３ａの外周側突起５０を押圧して複数の爪２３ａを弾性変形させることで、図１４に示すように、複数の爪２３ａが他の医療用コネクタ２００から引き抜け不能なロック状態となる。ここに、ロック状態とは、本例では、複数の爪２３ａの係合突起３２が、ロック部２４（ロック部材Ｌ２）の筒壁３３に押されてメスコネクタ部２０１の係合凸部２０７に引き抜け不能に係止した状態を意味する。また、本例では、このようなロック状態となった時点でコネクタ同士の接続が完了する。
【００７１】
なお、本例では、このようなロック状態及び接続状態を確実に維持するために、メスコネクタ部２０１とロック部材Ｌ２との間で、軸線Ｏ２の周りの相互の回転が規制されている。具体的には、ロック部材Ｌ２の筒壁３３は、このような接続状態において筒壁３３に対するメスコネクタ部２０１の回転を阻止する回転阻止部３３ａ（図１０（ｃ）参照）を備えている。回転阻止部３３ａは、本例では、筒壁３３の内周面から突出する凸部として構成されており、メスコネクタ部２０１が筒壁３３に対して回転したときにメスコネクタ部２０１の複数の係合凸部２０７に当接してメスコネクタ部２０１のそれ以上の回転を阻止することで、複数の係合凸部２０７と複数の爪２３ａの係合突起３２との間の係止状態を維持することができる。
【００７２】
また、前記したようなロック状態とするために、筒壁３３で係合部材Ｅ２の複数の爪２３ａの外周側突起５０を押圧する際には、筒壁３３の内周面に設けられたテーパ面３９及び外周側突起５０が備えるテーパ面５０ａを介して複数の爪２３ａを押圧することができるため、複数の爪２３ａを弾性変形させるための操作力を低減することができる。なお、このような操作力低減のためのテーパ面３９及びテーパ面５０ａは、いずれか一方を省略してもよい。
【００７３】
さらに、筒壁３３が複数の爪２３ａをロック状態にしたとき、４つのロック部材側凸部４６が４つの係合部材側凸部４３を乗り越えることでクリック感が生じる。したがって、該クリック感により、操作者はロックが完了したことを容易に確認することができる。
【００７４】
医療用コネクタ２１は、以上のような要領で、他の医療用コネクタ２００に接続することができるが、その接続に際しては、複数の爪２３ａによるメスコネクタ部２０１の係合凸部２０７の乗り越えを必要としない。したがって、医療用コネクタ２１によれば、他の医療用コネクタ２００に接続するに際し、他の医療用コネクタ２００の意図しない変位を抑制することができる。なお、本実施形態では、クリック感を生じさせるための突起（環状凸部４８、ロック部材側凸部４６及び係合部材側凸部４３）が設けられているが、これらの突起の大きさ及び形状は、クリック感を生じさせる際のこれらの突起の乗り越えに要する力が、他の医療用コネクタ２００の意図しない変位を生じない程度に十分に小さいものとなるように設定されていることは言うまでもない。
【００７５】
このようにコネクタ同士を接続した後は、例えば、ドレッシングフィルム等の粘着シートで、メスコネクタ部２０１及びロック部材Ｌ２を覆うようにして留置針が留置された患者等の生体の皮膚に貼り付けることで、ロック部材Ｌ２の移動を防止し、もって、コネクタの意図しない離脱の発生を確実に防止することができる。また、前述したロック部材側凸部４６及び係合部材側凸部４３の突出幅を拡大し、一旦ロック部材Ｌ２によるロックが完了した場合にはロックを解除できないように構成し、もって、コネクタの意図しない離脱の発生を確実に防止するようにしてもよい。
【００７６】
以上説明したように、本実施形態に係る医療用コネクタ２１によれば、医療用コネクタ２１のオスコネクタ部２２を他の医療用コネクタ２００のメスコネクタ部２０１に挿入すると、ロック部２４（ロック部材Ｌ２）が係合部２３（複数の爪２３ａ）に対してスライドし、このようにスライドしたロック部２４により、係合部２３を他の医療用コネクタ２００から引き抜け不能なロック状態にすることができる。
【００７７】
したがって、本実施形態によれば、オスコネクタ部２２を他の医療用コネクタ２００のメスコネクタ部２０１に挿入するだけで、コネクタ同士を接続することができる。また、本実施形態によれば、ロック部２４のスライドによって係合部２３をロック状態にすることができるため、係合部２３による他の医療用コネクタ２００の段部の乗り越えを伴うことなくコネクタ同士を接続することができる。したがって、本実施形態によれば、他の医療用コネクタ２００に対する接続操作の容易性を確保しつつ、他の医療用コネクタ２００の意図しない変位を抑制することができる。
【００７８】
また、本実施形態に係る医療用コネクタ２１は、係合部２３が、複数の爪２３ａと、該複数の爪２３ａの外周面に形成された外周側突起５０とを備え、ロック部２４は、複数の爪２３ａを包囲する筒壁３３を備えている。したがって、本実施形態によれば、簡単な構成によって、前述した効果、すなわち、他の医療用コネクタ２００に対する接続操作の容易性を確保しつつ、他の医療用コネクタ２００の意図しない変位を抑制できるという効果を得ることができる。
【００７９】
また、本実施形態では、ロック部２４は、オスコネクタ部２２を他の医療用コネクタ２００のメスコネクタ部２０１に挿入すると、オスコネクタ部２２がメスコネクタ部２０１に当接することでスライドし、筒壁３３が外周側突起５０を押圧して複数の爪２３ａを弾性変形させることで、複数の爪２３ａを他の医療用コネクタ２００から引き抜け不能なロック状態にするように構成されている。したがって、本実施形態によれば、他の医療用コネクタ２００と、医療用コネクタ２１のロック部２４とを把持して、医療用コネクタ２１のオスコネクタ部２２を他の医療用コネクタ２００のメスコネクタ部２０１に挿入するだけで、コネクタ同士を接続することができ、良好な操作性を得ることができる。
【００８０】
また、本実施形態では、ロック部２４の筒壁３３は、該筒壁３３に対する他の医療用コネクタ２００のメスコネクタ部２０１の回転を阻止する回転阻止部３３ａを備えている。したがって、本実施形態によれば、前述したロック状態及び接続状態を確実に維持することができる。
【００８１】
次に、図１０〜図１４を用いて前述した医療用コネクタ２１の変形例について、図１５〜図１９を参照して詳細に例示説明する。
本変形例の医療用コネクタ２１Ａは、図１０〜図１４を用いて前述した医療用コネクタ２１の場合と同様に、オスコネクタ部２２Ａを他の医療用コネクタ２００のメスコネクタ部２０１に挿入すると、オスコネクタ部２２Ａがメスコネクタ部２０１に当接することでロック部２４Ａがスライドし、筒壁３３Ａが外周側突起５０Ａを押圧して複数の爪２３ａＡを弾性変形させることで、複数の爪２３ａＡを他の医療用コネクタ２００から引き抜け不能なロック状態にするように構成されている。
【００８２】
しかしながら、本変形例の医療用コネクタ２１Ａは、図１０〜図１４を用いて前述した医療用コネクタ２１の場合とは異なり、オスコネクタ部２２Ａが、メスコネクタ部２０１の天面２０１ａを封止する封止部２２ａＡを備える構成となっている。なお、本変形例の医療用コネクタ２１Ａが接続される他の医療用コネクタ２００は、図１０に示したものと同一の構成になっている。
【００８３】
図１５〜図１７に示すように、本変形例の医療用コネクタ２１Ａは、オスコネクタ部２２Ａと係合部２３Ａとロック部２４Ａとを備え、他の医療用コネクタ２００と接続可能に設けられている。オスコネクタ部２２Ａは、本例ではハウジングＨ２Ａに一体に形成されている。また、係合部２３Ａは、本例では、ハウジングＨ２Ａに固定された係合部材Ｅ２Ａに形成されており、複数（本例では２つ）の爪２３ａＡとして構成されている。さらに、ロック部２４Ａは、本例では、ハウジングＨ２Ａにスライド可能に取り付けられたロック部材Ｌ２Ａとして構成されている。
【００８４】
また、本変形例では、オスコネクタ部２２Ａは、前述したように封止部２２ａＡを備えている。封止部２２ａＡは、本例では、ハウジングＨ２Ａのオスコネクタ部２２Ａの外周面に周設された環状凹部２２ｂＡに嵌合によって固定された円環状の封止部材Ｓ２Ａとして構成されている。封止部２２ａＡは、オスコネクタ部２２Ａに固定されたときに基端側に向けて拡径する円錐状のテーパ面２２ａ１Ａと、該テーパ面２２ａ１Ａの基端側縁部から拡径した円板状の封止フランジ２２ａ２Ａとを備えている。
【００８５】
本変形例の医療用コネクタ２１Ａは、ハウジングＨ２Ａ、係合部材Ｅ２Ａ及び封止部材Ｓ２Ａで構成されるコネクタ本体Ｂ２Ａと、オスコネクタ部２２Ａの軸線Ｏ２に沿う方向にスライド可能にコネクタ本体Ｂ２Ａに取り付けられたロック部材Ｌ２Ａとによって構成されている。ハウジングＨ２Ａ、係合部材Ｅ２Ａ及びロック部材Ｌ２Ａは、例えば合成樹脂製とすることができる。また、封止部材Ｓ２Ａは、例えばゴムや熱可塑性エラストマーなどの弾性材料によって構成することができる。
【００８６】
ハウジングＨ２Ａには、オスコネクタ部２２Ａの反対側に、例えば輸液容器に繋がるチューブの端部を接続可能な接続部２５Ａが形成されている。なお、ハウジングＨ２Ａは、このような構成に代えて、例えば、前述した実施形態の場合と同様に、Ｔポートコネクタや三方活栓として構成することも可能である。
【００８７】
係合部材Ｅ２Ａは、複数の爪２３ａＡの基端部に連なる底壁４０Ａを備えている。底壁４０Ａは、ハウジングＨ２Ａのオスコネクタ部２２Ａを挿入可能な貫通孔４１Ａ（図１７参照）を備え、オスコネクタ部２２Ａの軸線Ｏ２方向中間部に嵌合しており、その結果、係合部材Ｅ２Ａがオスコネクタ部２２Ａに抜け止め可能に保持されている。また、底壁４０Ａには、複数の爪２３ａＡとは反対側に延びる４つの突起４２Ａが形成されている。なお、底壁４０Ａに設ける突起４２Ａの個数は適宜増減が可能である。各突起４２Ａの先端部には、ロック部材Ｌ２Ａ側に設けられた後述するロック部材側凸部４６Ａを乗り越えさせることでクリック感を生じさせる係合部材側凸部４３Ａが形成されている。さらに、底壁４０Ａには、複数の爪２３ａＡと同一方向に延びる円筒状の案内片４４Ａが設けられている。案内片４４Ａは、ロック部材Ｌ２Ａの後述する筒壁３３Ａのスライド移動を案内するようになっている。
【００８８】
ロック部材Ｌ２Ａは、筒壁３３Ａを備えている。筒壁３３Ａの基端側端部には、内周側に向けて一対の突片３４Ａが突設されている。一対の突片３４Ａには、係合部材Ｅ２Ａに設けられた４つの突起４２Ａを挿入可能な４つの開口部４５Ａが設けられている。なお、ロック部材Ｌ２Ａに設ける開口部４５Ａの個数は、係合部材Ｅ２Ａに設ける突起４２Ａの個数に合わせて適宜増減が可能である。各開口部４５Ａには、係合部材側凸部４３Ａが乗り越えることでクリック感を生じさせるロック部材側凸部４６Ａが形成されている。
【００８９】
ロック部材Ｌ２Ａの一対の突片３４Ａは、ハウジングＨ２Ａのオスコネクタ部２２Ａの基端部に設けられたフランジ４７Ａと、オスコネクタ部２２Ａに抜け止め可能に保持された係合部材Ｅ２Ａの底壁４０Ａとの間にスライド可能に配置されている。なお、一対の突片３４Ａは、それぞれ、２つの突起３４ａＡを備えており、これらの計４つの突起３４ａＡが、オスコネクタ部２２Ａのフランジ４７Ａの先端側に形成された計４つの溝部２２ｃＡ内に配置されており、その結果、ロック部材Ｌ１ＡがハウジングＨ１Ａのオスコネクタ部２２Ａにスライド可能に取り付けられている。
【００９０】
また、ロック部材Ｌ２Ａの筒壁３３Ａの内周側には、一対の凸部４９Ａが形成されている。一対の凸部４９Ａは、ロック部材Ｌ２Ａのスライド移動時に係合部材Ｅ２Ａの案内片４４Ａに摺接することで、ロック部材Ｌ２Ａと係合部材Ｅ２Ａとの間の摺動抵抗を抑制しつつロック部材Ｌ２Ａが案内されるようにしている。なお、一対の凸部４９Ａは、案内片４４Ａに摺接しない構成としてもよい。また、一対の凸部４９Ａを設けない構成としてもよい。
【００９１】
係合部材Ｅ２Ａの複数の爪２３ａＡは、それぞれ、軸線Ｏ２に沿って延びる断面円弧状の板片３１Ａと、該板片３１Ａの先端側端部に内周側に向けて突設された係合突起３２Ａと、板片３１の先端側端部に外周側に向けて突設された外周側突起５０Ａとを備えている。複数の爪２３ａＡの係合突起３２Ａの先端側端面は、先端側に向けて係合突起３２Ａの突出幅を小さくするテーパ面３２ａＡになっている。また、複数の爪２３ａＡの外周側突起５０Ａの基端側端面は、先端側に向けて外周側突起５０Ａの突出幅を大きくするテーパ面５０ａＡになっている。
【００９２】
なお、前述した封止部２２ａＡは、軸線Ｏ２方向において係合突起３２Ａよりも基端側に少なくとも一部が配置されるように設けることが好ましい。このように配置することで、メスコネクタ部２０１の内周面２０１ｃの基端側縁部と天面２０１ａの内周縁部における液密性を確保し易くすることができる。
【００９３】
また、ロック部材Ｌ２Ａの筒壁３３Ａの内周面における先端部近傍には、複数の爪２３ａＡの外周側突起５０Ａに対応する複数（本例では２つ）の先端側に向けて拡径するテーパ面３９Ａが設けられている。
【００９４】
以上のように構成された医療用コネクタ２１Ａと他の医療用コネクタ２００とを互いに接続させる要領は以下のとおりである。まず、図１５に示したような、医療用コネクタ２１Ａと他の医療用コネクタ２００とが離脱した状態から、例えば左手で他の医療用コネクタ２００を持つと共に右手で医療用コネクタ２１Ａのロック部材Ｌ２Ａを持ち、ロック部材Ｌ２Ａを他の医療用コネクタ２００に近づける方向に移動させ、医療用コネクタ２１Ａのオスコネクタ部２２Ａを他の医療用コネクタ２００のメスコネクタ部２０１に挿入すると、図１８に示すように、メスコネクタ部２０１の天面２０１ａがオスコネクタ部２２Ａの封止部２２ａＡに当接して、メスコネクタ部２０１の天面２０１ａが封止される。
【００９５】
このとき、封止部２２ａＡは、基端側に向けて拡径するテーパ面２２ａ１Ａ（図１５参照）を有しているので、メスコネクタ部２０１の内周面２０１ｃの基端側縁部と天面２０１ａの内周縁部における液密性を確保し易くすることができる。
【００９６】
また、このとき、複数の爪２３ａＡの係合突起３２Ａの間隔（本例では、軸線Ｏ２を挟んで対向する部分間の距離）がメスコネクタ部２０１の係合凸部２０７を設けた部分の外径（本例では、２つの係合凸部２０７の外周側端部における、軸線Ｏ２を挟んで対向する部分間の距離）よりも大きいことから、複数の爪２３ａＡによるメスコネクタ部２０１の係合凸部２０７の乗り越えを伴うことなく、係合部材Ｅ２Ａの複数の爪２３ａＡの係合突起３２Ａに、メスコネクタ部２０１の係合凸部２０７を越えさせることができる。また、その際、複数の爪２３ａＡの係合突起３２Ａが備えるテーパ面３２ａＡによって、メスコネクタ部２０１の係合凸部２０７を複数の爪２３ａＡの間へとスムーズに案内することができる。
【００９７】
そして、さらにロック部材Ｌ２Ａを他の医療用コネクタ２００に近づける方向に移動させると、コネクタ本体Ｂ２Ａ（ハウジングＨ２Ａ、係合部材Ｅ２Ａ及び封止部材Ｓ２Ａ）はこれ以上移動できないため、ロック部材Ｌ２Ａが係合部材Ｅ２Ａに対してスライドする。このため、筒壁３３Ａが係合部材Ｅ２Ａの複数の爪２３ａＡの外周側突起５０Ａを押圧して複数の爪２３ａＡを弾性変形させることで、図１９に示すように、複数の爪２３ａＡが他の医療用コネクタ２００から引き抜け不能なロック状態となる。ここに、ロック状態とは、本例では、複数の爪２３ａＡの係合突起３２Ａが、ロック部２４Ａ（ロック部材Ｌ２Ａ）の筒壁３３Ａに押されてメスコネクタ部２０１の係合凸部２０７に引き抜け不能に係止した状態を意味する。また、本例では、このようなロック状態となった時点でコネクタ同士の接続が完了する。
【００９８】
なお、本例では、このようなロック状態及び接続状態を確実に維持するために、メスコネクタ部２０１とロック部材Ｌ２Ａとの間で、軸線Ｏ２の周りの相互の回転が規制されている。具体的には、ロック部材Ｌ２Ａの筒壁３３Ａは、このような接続状態において筒壁３３Ａに対するメスコネクタ部２０１Ａの回転を阻止する回転阻止部３３ａＡ（図１５（ｃ）参照）を備えている。回転阻止部３３ａＡは、本例では、筒壁３３Ａの内周面から突出する凸部として構成されており、メスコネクタ部２０１が筒壁３３Ａに対して回転したときにメスコネクタ部２０１の複数の係合凸部２０７に当接してメスコネクタ部２０１のそれ以上の回転を阻止することで、複数の係合凸部２０７と複数の爪２３ａＡの係合突起３２Ａとの間の係止状態を維持することができる。
【００９９】
また、前記したようなロック状態とするために、筒壁３３Ａで係合部材Ｅ２Ａの複数の爪２３ａＡの外周側突起５０Ａを押圧する際には、筒壁３３Ａの内周面に設けられたテーパ面３９Ａ及び外周側突起５０Ａが備えるテーパ面５０ａＡを介して複数の爪２３ａＡを押圧することができるため、複数の爪２３ａＡを弾性変形させるための操作力を低減することができる。なお、このような操作力低減のためのテーパ面３９Ａ及びテーパ面５０ａＡは、いずれか一方を省略してもよい。
【０１００】
さらに、筒壁３３Ａが複数の爪２３ａＡをロック状態にしたとき、４つのロック部材側凸部４６Ａ（図１７参照）が４つの係合部材側凸部４３Ａを乗り越えることでクリック感が生じる。したがって、該クリック感により、操作者はロックが完了したことを容易に確認することができる。
【０１０１】
医療用コネクタ２１Ａは、以上のような要領で、他の医療用コネクタ２００に接続することができるが、その接続に際しては、複数の爪２３ａＡによるメスコネクタ部２０１の係合凸部２０７の乗り越えを必要としない。したがって、医療用コネクタ２１Ａによれば、他の医療用コネクタ２００に接続するに際し、他の医療用コネクタ２００の意図しない変位を抑制することができる。なお、本変形例では、クリック感を生じさせるための突起（ロック部材側凸部４６Ａ及び係合部材側凸部４３Ａ）が設けられているが、これらの突起の大きさ及び形状は、クリック感を生じさせる際のこれらの突起の乗り越えに要する力が、他の医療用コネクタ２００の意図しない変位を生じない程度に十分に小さいものとなるように設定されていることは言うまでもない。
【０１０２】
このようにコネクタ同士を接続した後は、例えば、ドレッシングフィルム等の粘着シートで、メスコネクタ部２０１及びロック部材Ｌ２Ａを覆うようにして留置針が留置された患者等の生体の皮膚に貼り付けることで、ロック部材Ｌ２Ａの移動を防止し、もって、コネクタの意図しない離脱の発生を確実に防止することができる。
【０１０３】
また、コネクタ同士を離脱させる際には、ロック部材Ｌ２Ａを他の医療用コネクタ２００から遠ざける方向に移動させることで、複数の爪２３ａＡを弾性変形から復元させて、ロック状態を解除することができる。そして、このようにロック状態が解除されたとき、メスコネクタ部２０１の天面２０１ａを封止するように構成された封止部２２ａＡの反発力をコネクタ同士が離れる方向に作用させることができるため、コネクタの分離のための操作性を良好なものとすることができる。また、その際、本例では封止部２２ａＡが基端側に向けて拡径するテーパ面２２ａ１Ａを有していることにより、封止部２２ａＡの反発力を効果的に発揮させることができる。
【０１０４】
なお、本変形例においても、前述したロック部材側凸部４６Ａ及び係合部材側凸部４３Ａの突出幅を拡大し、一旦ロック部材Ｌ２Ａによるロックが完了した場合にはロックを解除できないように構成し、もって、コネクタの意図しない離脱の発生を確実に防止するようにしてもよい。
【０１０５】
以上説明したように、本変形例の医療用コネクタ２１Ａによれば、医療用コネクタ２１Ａのオスコネクタ部２２Ａを他の医療用コネクタ２００のメスコネクタ部２０１に挿入すると、ロック部２４Ａ（ロック部材Ｌ２Ａ）が係合部２３Ａ（複数の爪２３ａＡ）に対してスライドし、このようにスライドしたロック部２４Ａにより、係合部２３Ａを他の医療用コネクタ２００から引き抜け不能なロック状態にすることができる。
【０１０６】
したがって、本変形例によれば、オスコネクタ部２２Ａを他の医療用コネクタ２００のメスコネクタ部２０１に挿入するだけで、コネクタ同士を接続することができる。また、本変形例によれば、ロック部２４Ａのスライドによって係合部２３Ａをロック状態にすることができるため、係合部２３Ａによる他の医療用コネクタ２００の段部の乗り越えを伴うことなくコネクタ同士を接続することができる。したがって、本変形例によれば、他の医療用コネクタ２００に対する接続操作の容易性を確保しつつ、他の医療用コネクタ２００の意図しない変位を抑制することができる。
【０１０７】
また、本変形例の医療用コネクタ２１Ａは、係合部２３Ａが、複数の爪２３ａＡと、該複数の爪２３ａＡの外周面に形成された外周側突起５０Ａとを備え、ロック部２４Ａは、複数の爪２３ａＡを包囲する筒壁３３Ａを備えている。したがって、本変形例によれば、簡単な構成によって、前述した効果、すなわち、他の医療用コネクタ２００に対する接続操作の容易性を確保しつつ、他の医療用コネクタ２００の意図しない変位を抑制できるという効果を得ることができる。
【０１０８】
また、本変形例では、ロック部２４Ａは、オスコネクタ部２２Ａを他の医療用コネクタ２００のメスコネクタ部２０１に挿入すると、オスコネクタ部２２Ａがメスコネクタ部２０１に当接することでスライドし、筒壁３３Ａが外周側突起５０Ａを押圧して複数の爪２３ａＡを弾性変形させることで、複数の爪２３ａＡを他の医療用コネクタ２００から引き抜け不能なロック状態にするように構成されている。したがって、本変形例によれば、他の医療用コネクタ２００と、医療用コネクタ２１Ａのロック部２４Ａとを把持して、医療用コネクタ２１Ａのオスコネクタ部２２Ａを他の医療用コネクタ２００のメスコネクタ部２０１に挿入するだけで、コネクタ同士を接続することができ、良好な操作性を得ることができる。
【０１０９】
また、本変形例では、オスコネクタ部２２Ａが、メスコネクタ部２０１の天面２０１ａを封止する封止部２２ａＡを備えている。したがって、本変形例によれば、コネクタ接続時の液密性の確保を容易にすると共に、コネクタ分離時には、封止部２２ａＡの反発力によってその操作性を良好なものとすることができる。
【０１１０】
また、本実施形態では、ロック部２４Ａの筒壁３３Ａは、該筒壁３３Ａに対する他の医療用コネクタ２００のメスコネクタ部２０１の回転を阻止する回転阻止部３３ａＡを備えている。したがって、本実施形態によれば、前述したロック状態及び接続状態を確実に維持することができる。
【０１１１】
次に、図１０〜図１４を用いて前述した医療用コネクタ２１の他の変形例について、図２０〜図２４を参照して詳細に例示説明する。
本変形例の医療用コネクタ２１Ｂは、図１５〜図１９を用いて前述した医療用コネクタ２１Ａの場合と比較すると、オスコネクタ部２２Ｂがメスコネクタ部２０１Ｂの天面を封止する封止部を備えていない点と、筒壁３３Ｂに対するメスコネクタ部２０１Ｂの回転を阻止する回転阻止部３３ａＢの構成が異なる点とで構成が相違しているが、その他の点では同様の構成となっている。
【０１１２】
図２０に示すように、本変形例の医療用コネクタ２１Ｂは、メスコネクタ部２０１Ｂの周壁部２０１ｂＢの外周面にルアーロック用の雄ねじ部２０１ｄＢが設けられている他の医療用コネクタ２００Ｂに対して接続可能に構成されている。すなわち、このような雄ねじ部２０１ｄＢに複数の爪２３ａＢの係合突起３２Ｂを係止させてロック状態にしたとしても、筒壁３３Ｂに対してメスコネクタ部２０１Ｂが自由に回転できる場合には、メスコネクタ部２０１Ｂが係合突起３２Ｂから螺脱してしまうおそれがある。
【０１１３】
このため、本例では、他の医療用コネクタ２００Ｂの雄ねじ部２０１ｄＢに軸線Ｏ２に沿って延びる一対の回転阻止用の溝部２０１ｅＢを設ける一方で、筒壁３３Ｂの内周面に、この溝部２０１ｅＢと係合可能な一対の突条として構成された回転阻止部３３ａＢを設けている。
【０１１４】
なお、図２１に示すように、係合部材Ｅ２Ｂに設けられた一対の案内片４４Ｂには、回転阻止部３３ａＢを案内可能な案内溝部４４ａＢが設けられている。また、図２２に示すように、筒壁３３Ｂの基端側端部には、内周側に向けて延びる内向きフランジ３４Ｂが設けられている。内向きフランジ３４Ｂは、ハウジングＨ２Ｂのオスコネクタ部２２Ｂの基端部に設けられたフランジ４７Ｂと、オスコネクタ部２２Ｂに抜け止め可能に保持された係合部材Ｅ２Ｂの底壁４０Ｂとの間にスライド可能に配置されている。なお、内向きフランジ３４Ｂは、２つの溝３４ａＢを備えており、これらの溝３４ａＢが、オスコネクタ部２２Ｂのフランジ４７Ｂの先端側に形成された２つの突条２２ｄＢと係合しており、その結果、ロック部材Ｌ２ＢがハウジングＨ２Ｂのオスコネクタ部２２Ｂにスライド可能に取り付けられている。
【０１１５】
以上のように構成された医療用コネクタ２１Ｂと他の医療用コネクタ２００Ｂとを互いに接続させる要領は以下のとおりである。まず、図２０に示したような、医療用コネクタ２１Ｂと他の医療用コネクタ２００Ｂとが離脱した状態から、例えば左手で他の医療用コネクタ２００Ｂを持つと共に右手で医療用コネクタ２１Ｂのロック部材Ｌ２Ｂを持ち、他の医療用コネクタ２００Ｂの雄ねじ部２０１ｄＢに設けた溝部２０１ｅＢとロック部材Ｌ２Ｂの筒壁３３Ｂの内周面に設けた回転阻止部３３ａＢとを係合させる。そして、ロック部材Ｌ２Ｂを他の医療用コネクタ２００Ｂに近づける方向に移動させ、医療用コネクタ２１Ｂのオスコネクタ部２２Ｂを他の医療用コネクタ２００Ｂのメスコネクタ部２０１Ｂに挿入すると、図２３に示すように、オスコネクタ部２２Ｂの外周面がメスコネクタ部２０１Ｂの内周面に当接する。
【０１１６】
このとき、複数の爪２３ａＢの係合突起３２Ｂの間隔（本例では、軸線Ｏ２を挟んで対向する部分間の距離）がメスコネクタ部２０１Ｂの雄ねじ部２０１ｄＢの外径よりも大きいことから、複数の爪２３ａＢによるメスコネクタ部２０１Ｂの雄ねじ部２０１ｄＢの乗り越えを伴うことなく、係合部材Ｅ２Ｂの複数の爪２３ａＢの係合突起３２Ｂに、メスコネクタ部２０１Ｂの雄ねじ部２０１ｄＢを越えさせることができる。また、その際、複数の爪２３ａＢの係合突起３２Ｂが備えるテーパ面３２ａＢによって、メスコネクタ部２０１Ｂの雄ねじ部２０１ｄＢを複数の爪２３ａＢの間へとスムーズに案内することができる。
【０１１７】
そして、さらにロック部材Ｌ２Ｂを他の医療用コネクタ２００Ｂに近づける方向に移動させると、コネクタ本体Ｂ２Ｂ（ハウジングＨ２Ｂ及び係合部材Ｅ２Ｂ）はこれ以上移動できないため、ロック部材Ｌ２Ｂが係合部材Ｅ２Ｂに対してスライドする。このため、筒壁３３Ｂが係合部材Ｅ２Ｂの複数の爪２３ａＢの外周側突起５０Ｂを押圧して複数の爪２３ａＢを弾性変形させることで、図２４に示すように、複数の爪２３ａＢが他の医療用コネクタ２００Ｂから引き抜け不能なロック状態となる。ここに、ロック状態とは、本例では、複数の爪２３ａＢの係合突起３２Ｂが、ロック部２４Ｂ（ロック部材Ｌ２Ｂ）の筒壁３３Ｂに押されてメスコネクタ部２０１Ｂの雄ねじ部２０１ｄＢに引き抜け不能に係止した状態を意味する。また、本例では、このようなロック状態となった時点でコネクタ同士の接続が完了する。
【０１１８】
そしてこのとき、本例では、前述した溝部２０１ｅＢ（図２０参照）と回転阻止部３３ａＢとの係合によって、メスコネクタ部２０１Ｂとロック部材Ｌ２Ｂとの相互の回転が阻止されている。したがって、本例によれば、雄ねじ部２０１ｄＢを有する医療用コネクタ２００Ｂを接続対象とする場合であっても、メスコネクタ部２０１Ｂの回転を阻止してロック状態及び接続状態の確実な維持を可能にすることができる。
【０１１９】
次に、図１０〜図１４を用いて前述した医療用コネクタ２１の更なる他の変形例について、図２５〜図２６を参照して詳細に例示説明する。
本変形例の医療用コネクタ２１Ｃは、図１５〜図１９を用いて前述した医療用コネクタ２１Ａの場合と比較すると、オスコネクタ部２２Ｃがメスコネクタ部２０１の天面を封止する封止部を備えていない点と、係合部材Ｅ２Ｃがロック完了視認部５１Ｃを備える点とで構成が相違しているが、その他の点では同様の構成となっている。
【０１２０】
図２０に示すように、本変形例では、係合部材Ｅ２Ｃの底壁４０Ｃには、基端側に向けて突出する断面円弧状の一対の突出片５２Ｃが設けられている。一対の突出片５２Ｃは、図２１に示すように、ロック部２４Ｃ（ロック部材Ｌ２Ｃ）がスライドして複数の爪２３ａＣ（係合部２３Ｃ）をロック状態にしたときに、筒壁３３Ｃの基端側端面３３ｂＣから基端側へ突出して筒壁３３Ｃの径方向外側から視認可能となるロック完了視認部５１Ｃを構成している。
【０１２１】
なお、本例では、係合部材Ｅ２Ｃの底壁４０Ｂに設けられた４つの突起４２Ｃも、このようなロック完了視認部５１Ｃを構成している。本例では、図２６に示すように、一対の突出片５２Ｃと４つの突起４２Ｃとが、筒壁３３Ｃの基端側に形成された切欠き部で構成される基端側端面３３ｂＣから、ロック完了時に突出して筒壁３３Ｃの径方向外側から視認可能となるように構成されている。
【０１２２】
以上説明したように、本変形例の医療用コネクタ２１Ｃは、ロック部２４Ｃがスライドして複数の爪２３ａＣをロック状態にしたときに、筒壁３３Ｃの基端側端面３３ｂＣから基端側へ突出して筒壁３３Ｃの径方向外側から視認可能となるロック完了視認部５１Ｃを備えている。したがって、本変形例によれば、使用者は、ロック完了視認部５１Ｃの目視により、ロックが完了したことを容易に把握することができる。
【０１２３】
前述したところは、本発明の一実施形態を示したにすぎず、特許請求の範囲において、種々の変更を加えることができる。例えば、前述した実施形態では、コネクタ本体Ｂ１，Ｂ２，Ｂ２Ａ，Ｂ２Ｂ，Ｂ２Ｃは２つの部材から構成していたが、１つの部材又は３つ以上の部材によって構成してもよい。また、ロック部材Ｌ１，Ｌ２，Ｌ２Ａ，Ｌ２Ｂ，Ｌ２Ｃを２つ以上の部材で構成することも可能である。また、係合部３，２３，２３Ａ，２３Ｂ，２３Ｃが備える爪３ａ，２３ａ，２３ａＡ，２３ａＢ，２３ａＣは、２つに限られず、３つ以上設けてもよい。
【０１２４】
また、前述した実施形態では、嵌合壁側嵌合部７ａを開口部として構成すると共に筒壁側嵌合部１７を嵌合突起１７ａを備える爪として構成したが、これとは逆に、嵌合壁側嵌合部７ａを嵌合突起を備える爪として構成すると共に筒壁側嵌合部１７を開口部として構成してもよい。その場合には、操作部１８は嵌合壁７に設けることができる。また、嵌合壁側嵌合部７ａ又は筒壁側嵌合部１７としての開口部に代えて、前記嵌合突起が嵌合する凹部として構成してもよい。
【０１２５】
また、図１〜図９を用いて説明した実施形態において、筒壁１３に、例えば図１０に示したような回転阻止部３３ａや、図２０に示したような回転阻止部３３ａＢを設け、ロック状態及び接続状態のより確実な維持を可能にしてもよい。また、図１〜図９を用いて説明した実施形態において、オスコネクタ部２に、図１５に示したような封止部２２ａＡを設け、液密性を確保し易くしてもよい。
【０１２６】
さらに、前述した実施形態では、複数の爪３ａ，２３ａ，２３ａＡ，２３ａＢの係合突起１２，３２，３２Ａの間隔は、複数の爪３ａ，２３ａ，２３ａＡ，２３ａＢを他の医療用コネクタ１００，２００，２００Ｂから引き抜け不能な状態にするに際し、複数の爪３ａ，２３ａ，２３ａＡ，２３ａＢによる他の医療用コネクタ１００，２００，２００Ｂの段部の乗り越えを必要としない大きさに設定されるものとして説明したが、必ずしもそのような構成に限られず、複数の爪３ａ，２３ａ，２３ａＡ，２３ａＢの係合突起１２，３２，３２Ａの間隔は、そのような乗り越えに要する力が他の医療用コネクタ１００，２００，２００Ｂの意図しない変位を生じない程度に十分に小さければ、そのような乗り越えを生じる大きさに設定してもよい。
【符号の説明】
【０１２７】
１  医療用コネクタ
２  オスコネクタ部
２ａ  オスコネクタ部の基端部
３  係合部
３ａ  爪
４  ロック部
５  メスコネクタ部
６  混注ポート部
６ａ  弁体
７  嵌合壁
７ａ  嵌合壁側嵌合部
８  突片
８ａ  突起
９  凹部
１０  基端側フランジ
１０ａ  テーパ面
１１  板片
１２  係合突起
１２ａ  テーパ面
１３  筒壁
１４  突片
１４ａ  挿入孔
１４ｂ  突起
１５  溝部
１６  先端側フランジ
１６ａ  テーパ面
１７  筒壁側嵌合部
１７ａ  嵌合突起
１８  操作部
１９  ロック用突起
１９ａ  テーパ面
２１  医療用コネクタ
２２  オスコネクタ部
２３  係合部
２３ａ  爪
２４  ロック部
２５  接続部
３１  板片
３２  係合突起
３２ａ  テーパ面
３３  筒壁
３３ａ  回転阻止部
３４  突片  ３９  テーパ面
４０  底壁
４１  貫通孔
４２  突起
４３  係合部材側凸部
４４  案内片
４５  開口部
４６  ロック部材側凸部
４７  フランジ
４８  環状凸部
４９  凸部
５０  外周側突起
５０ａ  テーパ面
２１Ａ  医療用コネクタ
２２Ａ  オスコネクタ部
２２ａＡ  封止部
２２ａ１Ａ  テーパ面
２２ａ２Ａ  封止フランジ
２２ｂＡ  環状凹部
２２ｃＡ  溝部
２３Ａ  係合部
２３ａＡ  爪
２４Ａ  ロック部
２５Ａ  接続部
３１Ａ  板片
３２Ａ  係合突起
３２ａＡ  テーパ面
３３Ａ  筒壁
３３ａＡ  回転阻止部
３４Ａ  突片
３４ａＡ  突起
３９Ａ  テーパ面
４０Ａ  底壁
４１Ａ  貫通孔
４２Ａ  突起
４３Ａ  係合部材側凸部
４４Ａ  案内片
４５Ａ  開口部
４６Ａ  ロック部材側凸部
４７Ａ  フランジ
４９Ａ  凸部
５０Ａ  外周側突起
５０ａＡ  テーパ面
２１Ｂ  医療用コネクタ
２２Ｂ  オスコネクタ部
２２ｄＢ  突条
２３Ｂ  係合部
２３ａＢ  爪
２４Ｂ  ロック部
３２Ｂ  係合突起
３２ａＢ  テーパ面
３３Ｂ  筒壁
３３ａＢ  回転阻止部
３４Ｂ  内向きフランジ
３４ａＢ  溝
４０Ｂ  底壁
４４Ｂ  案内片
４４ａＢ  案内溝部
４７Ｂ  フランジ
５０Ｂ  外周側突起
２１Ｃ  医療用コネクタ
２２Ｃ  オスコネクタ部
２３Ｃ  係合部
２３ａＣ  爪
３３Ｃ  筒壁
３３ｂＣ  基端側端面
４０Ｃ  底壁
４２Ｃ  突起
５１Ｃ  ロック完了視認部
５２Ｃ  突出片
１００  他の医療用コネクタ
１０１  メスコネクタ部
１０１ａ  天面部
１０１ｂ  周壁部
１０２  オスコネクタ部
１０３  メスコネクタ側ハウジング
１０４  オスコネクタ側ハウジング
１０５  弁体
１０５ａ  天面部
１０６  係合凹部
２００  他の医療用コネクタ
２０１  メスコネクタ部
２０１ａ  天面
２０１ｂ  周壁部
２０１ｃ  内周面
２０７  係合凸部
２００Ｂ  他の医療用コネクタ
２０１Ｂ  メスコネクタ部
２０１ｂＢ  周壁部
２０１ｄＢ  雄ねじ部
２０１ｅＢ  溝部
Ｏ１，Ｏ２  軸線
Ｈ１，Ｈ２，Ｈ２Ａ，Ｈ２Ｂ，Ｈ２Ｃ  ハウジング
Ｅ１，Ｅ２，Ｅ２Ａ，Ｅ２Ｂ，Ｅ２Ｃ  係合部材
Ｌ１，Ｌ２，Ｌ２Ａ，Ｌ２Ｂ，Ｌ２Ｃ  ロック部材
Ｂ１，Ｂ２，Ｂ２Ａ，Ｂ２Ｂ，Ｂ２Ｃ  コネクタ本体
Ｓ２Ａ  封止部材
【図１】
2016152169.tif 000003
【図２】
2016152169.tif 000004
【図３】
2016152169.tif 000005
【図４】
2016152169.tif 000006
【図５】
2016152169.tif 000007
【図６】
2016152169.tif 000008
【図７】
2016152169.tif 000009
【図８】
2016152169.tif 000010
【図９】
2016152169.tif 000011
【図１０】
2016152169.tif 000012
【図１１】
2016152169.tif 000013
【図１２】
2016152169.tif 000014
【図１３】
2016152169.tif 000015
【図１４】
2016152169.tif 000016
【図１５】
2016152169.tif 000017
【図１６】
2016152169.tif 000018
【図１７】
2016152169.tif 000019
【図１８】
2016152169.tif 000020
【図１９】
2016152169.tif 000021
【図２０】
2016152169.tif 000022
【図２１】
2016152169.tif 000023
【図２２】
2016152169.tif 000024
【図２３】
2016152169.tif 000025
【図２４】
2016152169.tif 000026
【図２５】
2016152169.tif 000027
【図２６】
2016152169.tif 000028
【国際調査報告】
2016152169.tif 000029
2016152169.tif 000030
2016152169.tif 000031
2016152169.tif 000032